(57)【要約】      （修正有）【課題】ゴミ袋の取り出しを容易に実行できるゴミ袋の収納箱を提供する。【解決手段】家庭、店舗等使用個所によらず、亦屋内、屋外を問わず使用できるゴミ袋を収納できる箱であり、従来、ゴミの詰まった袋を箱から取り出すときに、袋を上方に引き上げることなく、箱の筒体を引き上げて、分離する箱の低部に重量物としての袋を残して水平移動を可能とするために、軽量の筒体を移動させる。【選択図】図２
0003112699.tif 000002
【実用新案登録請求の範囲】
【請求項１】
側面に通気孔を施し両端部が開口する筒体の上方開口部に、該筒体内に収納するゴミ袋の開口部を挟持係止する輪状体を嵌合させ、該輪状体に着脱自在の蓋を被せるとともに、前記筒体の下方開口部が着脱自在に底皿に嵌合して成る分割可能なゴミ収納箱。
【考案の詳細な説明】
【技術分野】
【０００１】  本考案は、取り出し、移動を容易にすることのできるゴミ袋を収納する箱に関するものである。
【従来技術】
【０００２】  従来、家庭等で発生するゴミの処理に関しては、燃焼性ゴミ、非燃焼性ゴミ等に分別して袋詰めして定まった場所に運び、そこで回収されて処理場で処理されることが普通に行なわれている。この場合、ゴミを袋に入れて回収日まで保管する必要があり、そのために袋を、例えばポリエチレン製のバケットの中に収納している。一定程度ゴミの溜まった袋を箱から引き出すときには、箱の上部に付属する蓋を開けて、そこから袋を引き上げて取り出さなければならないので、重量のあるゴミの詰まった袋を引き上げる場合には労力を要する等の問題を抱えている。
【０００３】  また、本考案のゴミ袋収納箱とは異なるものであるが、直接ゴミを処理する屋外設置用ゴミ処理容器もいくつか提案されている。いずれも容器の上部に設ける投入口から筒状の容器本体内に集められるゴミを好、嫌両性の菌に因り処理を行なうものである。
【考案の開示】
【考案が解決しようとする課題】
【０００４】  本考案は、上記問題即ちゴミの詰まっている重量のある袋を上方に引き上げて取り出す労力を省き袋の移動を容易に出来るゴミ収納箱を提供することを課題としている。
【課題を解決するための手段】
【０００５】  本考案における基本的技術思想は、従来の比較的重いゴミ袋を重力に逆らって移動させることではなく、全く逆の発想で、比較的軽量で一定の重さのゴミ袋収納箱本体を上方に移動させるだけで、その移動を容易に実行で出来るようにしようとするものであり、そのために以下のような構成を採るものである。
即ち、着脱可能な蓋を、側面に水滴に拠る付着防止のための通気孔を施す両端部が開口する筒体の上方開口部にゴミ袋の開口部を挟持し係止す輪状体を介して設けるとともに、該筒体の他端の底部開口部には底皿を着脱自在に嵌合させて成る、該筒体内にゴミ袋を収納するゴミ袋収納箱として課題を解決するものである。
【考案の効果】
【０００６】  従来のように、箱の蓋を開けて、中に収まっているゴミの詰まった袋を上方に引き上げて取り出すことなく、箱の底皿上にゴミ袋を残した状態で、筒体を底皿から離脱させて容易に処理することが出来るので、極めて簡単な器具で課題を充分に解決し目的を達成できる効果を有するものである。
【考案を実施するための最良の形態】
【０００７】  通常は、軽量であり、容易に変形のしない、例えばポリエチレン樹脂などの素材で成る、引き上げを容易にするための多少のテ−パ−を有する円筒の側面に通気のための小孔を施し取手を設けるとともに、該円筒の低部開口部には着脱可能な底皿と上部開口部には輪状体を介して開閉用の蓋を設けて成る、筒体と底皿と蓋とが分離できる箱として構成するものである。
【実施例】
【０００８】  以下、図面に示す実施例に従って本考案の実施形態について説明する。
図１及び図２に断面で示す一実施例において、低部に向かって末広がりのテ−パ−を設ける円筒１の側壁に多数の通気孔２を施すとともに取っ手３を設け、円筒１の底部開口部には底皿５を、円筒１の底部外側面に設ける挿入部４と底皿５に設ける案内壁６で着脱自在に嵌合出来るように配置し、円筒１の上方開口部には把手８を有する開閉用の蓋７を、円筒１の上辺面或いは側面とに依りゴミ袋１０の開口端部１１を挟持係止する輪状体９に被せて設け、円筒１内に収納してゴミ１２を溜めておくゴミ袋１０の開口端部１１を円筒１の開口部外側に開いて輪状体９により押えるようにしてある。【０００９】  従来の使用に当たっては、蓋７を開けて円筒１の上部開口部からゴミ袋１０内に廃棄物としてのゴミ１２を投入し、通常はゴミ１２が満杯に堆積された時点で、従来は蓋７を開け、ゴミ袋１０の開口端部１１を結んで上方に引き上げてゴミ袋１０を移動させていたが、重量物が詰まっているような場合には、この作業に相当の労力を必要といていた。本考案によるときには、ゴミ袋１０が満杯になった時点で、蓋７を開けてゴミ袋１０の開口端部１１を結ぶか或いは蓋７を緩めた状態にして円筒１を上方に引き上げて移動させ底皿５上にゴミ袋１０を残したままの状態にし、その後にゴミ袋１０を移動させることになるが、重力に逆らうことなく水平移動で実行できることになるので、重量物の詰まったゴミ袋１０の移動に伴う労力の負担が極端に軽減され、目的を達成できることになる。少なくとも円筒１の定まった重さの負荷のみで引き上げ労力を消費すればよいので、箱を構成する素材には、軽量であり且つ容易に変形のしない耐候性の良い安価なプラスチック中でもポリエチレン樹脂が適したものとなる。
亦、円筒１には下方に向けて末広がりとなるテ−パ−を形成することに拠り、円筒１の引き上げが容易となるものであるが、テ−パ−の角度などは適に設定されるものである。【００１０】  図３、図４、図５、図６、図７には、分離出来るゴミ袋収納箱の状態を示してある。円筒１に設ける通気孔２は、箱内に発生する湿気が避けられない状態で円筒１の引き上げ時におけるゴミ袋１０と円筒１との接触摩擦を回避する目的で設けられるものであり、本考案における必須の要件である。亦、取っ手３は場合によっては設ける必要もなく、その設ける位置或いは形状等の設計は自由に為されるものである。更に、本実施例における、円筒１の底部側面に設ける挿入部４と底皿５に設ける案内壁６とに依る嵌合以外の嵌合手段の凹凸形状等の選択も設計上の問題となる。更に、輪状体９の形状は本実施例においては鍔部が円筒１の上辺面でゴミ袋１０の開口端部１１を挟持係止する断面がＬ字状のものを示してあるが、この形状に限るものでは無く、側面で挟持係止できる断面がＩ字状の輪状体でも構わなく、それらの選択は自由である。蓋７には把手８を設けることは当然のことである。
本実施例においては、円筒１による箱の筒部を示してあるが、円筒以外に、その形状は、多角形であっても楕円形、その他の形状も含めて、屋内、屋外を問わず使用環境に応じて美感を呈する箱形を選択すればより効果的なものとすることができる。
【図面の簡単な説明】
【００１１】
【図１】  一実施例を示す箱の断面図。
【図２】  同上使用状態を示す断面図。
【図３】  同上箱の蓋を示す部分斜視図。
【図４】  同上輪状体の斜視図。
【図５】  同上筒体を示す部分斜視図。
【図６】  ゴミ袋を示す斜視図。
【図７】  図１における底皿に斜視図。
【符号の説明】
【００１２】１    円筒
２    通気孔
３    取っ手
５    底皿
７    蓋
９    輪状体
１０  ゴミ袋
【図１】
0003112699.tif 000003
【図２】
0003112699.tif 000004
【図３】
0003112699.tif 000005
【図４】
0003112699.tif 000006
【図５】
0003112699.tif 000007
【図６】
0003112699.tif 000008
【図７】
0003112699.tif 000009